(57)【要約】【課題】内部スペースの増加、支持強度の低下を招くことなく小切手収納部の収納長さを伸ばすためのポケットの引き出し量を多くできる小切手収納部構造を提案すること。【解決手段】小切手処理装置１の小切手収納部１０の後端部からポケット３０を引き出すと、その収納長さが長くなる。ポケット３０はポケット支持板４０によって相対的に第１の長さ分Ｌ１だけ前後にスライド可能に支持され、ポケット支持板４０は小切手収納部１０に対して第２の長さ分Ｌ２だけ前後にスライド可能に支持されている。ポケット３０を全体として長さ（Ｌ１+Ｌ２）分だけ引き出すことができる。ポケット３０それ自体を長さ（Ｌ１＋Ｌ２）分だけ引き出す場合に比べて、ポケットの前後方向の長さを短くでき、ポケット支持板４０を用いることによりポケット３０の支持強度も高めることができる。【選択図】図４
2008207953.tif 000002
【特許請求の範囲】
【請求項１】
シート状媒体を収納する媒体収納部と、
この媒体収納部の前後方向の収納長さを伸ばすもので、前記媒体収納部に収納された収納位置から後方にスライド可能なポケットと、
このポケットを、前後方向に第１の長さ分、相対的にスライド可能な状態で支持しているポケット支持部材とを有し、
前記媒体収納部は、このポケット支持部材を、前後方向に第２の長さ分、スライド可能な状態で支持していることを特徴とする媒体処理装置の媒体収納部構造。
【請求項２】
前記ポケット支持部材は平板状部材であり、
前記媒体収納部は、シート状媒体を乗せるための底板部分を備え、前記平板状部材を当該底板部分の裏面側において当該底板部分に対して平行となるように支持しており、
前記ポケットは、前記底板部分と前記平板状支持部材の間にスライド可能な状態で挟まれている底板部分とを備えていることを特徴とする請求項１に記載の媒体処理装置の媒体収納部構造。
【請求項３】
前記媒体収納部は、前記平板状部材の前後のスライド範囲を規定している前側ストッパピンと後側ストッパピンとを備えており、
前記平板状部材は、前記前側ストッパピンおよび後側ストッパピンがスライド可能な状態で貫通している前後方向に延びるスライドガイド穴と、前記ポケットのスライド範囲を規定している前側ストッパおよび後側ストッパとを備えており、
前記ポケットは、後方へのスライド時に前記前側ストッパに前側から係合可能な前側係合部と、前方へのスライド時に前記後側ストッパに後側から係合可能な後側係合部とを備えていることを特徴とする請求項２に記載の媒体処理装置の媒体収納部構造。
【請求項４】
小切手類を搬送する搬送路と、
この搬送路に小切手類を供給する小切手供給部と、
前記搬送路に沿って搬送される小切手類に担持されている情報を読み取る情報読取手段と、
前記搬送路から情報読取後の小切手類が送り込まれる小切手収納部を備えた小切手収納部構造とを有しており、
この小切手収納構造は、請求項１ないし３のうちのいずれかの項に記載の媒体収納部構造であることを特徴とする小切手処理装置。
【請求項５】
前記情報読取手段は、小切手類の磁気インク文字を読み取る磁気ヘッド、および、小切手類の表面および裏面の画像を読み取るスキャナのうちの少なくとも一方であり、
前記搬送路に沿って搬送される情報読取後の小切手類に印刷を行う印刷機構を有していることを特徴とする請求項４に記載の小切手処理装置。
【発明の詳細な説明】
【技術分野】
【０００１】
本発明は、搬送路に沿って搬送される小切手類などのシート状媒体に担持されている情報の読み取りなどを行う媒体処理装置に関し、処理済みのシート状媒体を収納するための媒体収納部の改良に関するものである。
【背景技術】
【０００２】
シート状媒体を処理するための媒体処理装置としては小切手類を処理するための小切手処理装置が知られている。特許文献１、２にはかかる小切手処理装置が開示されている。これらの特許文献に開示されているように、小切手処理装置は、小切手類を挿入する供給部と、イメージスキャナおよび磁気ヘッドが配置された搬送路と、これらによって画像および磁気インク文字が読み取られた後に搬送路から排出される小切手類を一時保管する小切手収納部を備えている。
【０００３】
小切手収納部は、長さおよび幅の異なる小切手類を収納できるようにするために、一般に上方および後方が開口している一定幅の溝形状をしており、搬送路から排出された小切手類が溝内に幅方向に順次重なった状態で収納される。長い小切手類はその後端部分が小切手収納部の後端開口から後方に突出状態になる。
【特許文献１】米国特許出願公開第２００４／０２５７６２６号公報
【特許文献２】特開２００４−２０６３６２号公報
【発明の開示】
【発明が解決しようとする課題】
【０００４】
ここで、搬送路から小切手収納部に排出される小切手類は、既に小切手収納部に収納されている小切手類の表面に沿って移動して、その上に重ねられた状態で収納される。したがって、小切手類が収納される度に、収納されている小切手類には後方に押し出される力が作用する。このため、収納枚数が多くなると、小切手収納部に収納されている小切手類が徐々に後方に移動して、その後端開口部から落下することがある。
【０００５】
小切手類の落下を防止するためには、小切手収納部の後端部分に後端が封鎖されたスライド式のポケットを取り付け、長い小切手類を収納する場合には、ポケットを後方に引き出すようにすればよい。このようにすれば、短い小切手類を処理する場合には場所を取らず、長い小切手類を処理する場合にのみポケットを後方に引き出せばよいので、小切手収納部の寸法増加を招くことなく小切手類の落下を防止できる。
【０００６】
この場合、小切手収納部の小型化を図るためには、小切手収納部を短くし、その分、ポケットの引き出し量を多くすれば良い。しかしながら、引き出し量を多くすると、引き出し量を多くしたポケットを支持しているスライド部も長くする必要があり、長くなったスライド部を小切手収納部に収納するためのスペースを小切手収納部の内部に確保する必要がある。内部スペースを十分に確保できない場合には、スライド部の強度が不足し、壊れ易くなってしまう。
【０００７】
本発明の課題は、この点に鑑みて、内部スペースの増加および強度の低下を招くことなく媒体収納部から引き出されるポケットの引き出し量を多くすることのできる媒体処理装置の媒体収納部構造を実現することにある。
【課題を解決するための手段】
【０００８】
上記の課題を解決するために、本発明の媒体処理装置の媒体収納部構造は、
シート状媒体を収納する媒体収納部と、
この媒体収納部の前後方向の収納長さを伸ばすことができるもので、前記媒体収納部に収納された収納位置から後方にスライド可能なポケットと、
このポケットを、前後方向に第１の長さ分、相対的にスライド可能な状態で支持しているポケット支持部材とを有し、
前記媒体収納部は、このポケット支持部材を、前後方向に第２の長さ分、スライド可能な状態で支持していることを特徴としている。
【０００９】
ポケットはポケット支持部材によって第１の長さ分だけ相対的にスライド可能な状態で支持されている。ポケット支持部材は、媒体収納部に対して第２の長さ分だけスライド可能な状態で支持されている。したがって、ポケットを後方に第１の長さ分だけ引き出した後は、ポケットはポケット支持部材によって支持された状態で第２の長さ分だけ後方に引き出される。よって、ポケットは、小切手収納部に対して後方に第１の長さ分と第２の長さ分を合わせた長さだけ引き出すことができる。また、ポケットは第１の長さ分だけ引き出された状態でポケット支持部材によって支持されている。
【００１０】
このように、ポケット支持部材も小切手収納部に対してスライド可能としておくことにより、引き出し量を多くしてもポケットの長さの増加を抑制できる。この結果、ポケットを収納するために必要な小切手収納部の内部スペースが少なくて済む。また、ポケットはポケット支持部材によって支持されており、当該ポケット支持部材からの引き出し量は第２の長さ分だけであるので、ポケットの引き出し量を多くしても、ポケット支持部分の強度を十分に確保できる。
【００１１】
ここで、ポケット支持部材は、ポケットの両側を支持するものであってもよいが、ポケットの底板部分を直接に支持する構造とすれば強度を確保し易い。このようにするためには、前記ポケット支持部材を平板状部材とし、前記媒体収納部におけるシート状媒体を乗せるための底板部分の裏面側に、当該底板部分に対して平行となるように前記平板状部材を支持し、前記ポケットを、前記底板部分と前記平板状支持部材の間にスライド可能な状態で挟まれている底板部分を備えた形状のものとすればよい。
【００１２】
この場合、平板状部材のスライド機構は、前記媒体収納部に、前記平板状部材のスライド範囲を規定している前側ストッパピンと後側ストッパピンとを配置し、前記平板状部材に、前記前側ストッパピンおよび後側ストッパピンがスライド可能な状態で貫通している前後方向に延びるスライドガイド穴とを配置した構成することができる。
【００１３】
また、ポケットのスライド機構は、前記平板状部材に、前記ポケットのスライド範囲を規定している前側ストッパおよび後側ストッパとを配置し、前記ポケットに、後方へのスライド時に前記前側ストッパに前側から係合可能な前側係合部と、前方へのスライド時に前記後側ストッパに後側から係合可能な後側係合部とを配置した構成とすることができる。
【００１４】
次に、本発明は小切手処理装置に関するものであり、小切手類を搬送する搬送路と、この搬送路に小切手類を供給する小切手供給部と、前記搬送路に沿って搬送される小切手類に担持されている情報を読み取るための情報読取手段と、前記搬送路から情報読取後の小切手類が送り込まれる小切手収納部を備えた小切手収納部構造とを有しており、この小切手収納構造として上記構成の媒体収納部構造を採用したことを特徴としている。
【００１５】
ここで、前記情報読取手段は、小切手類の磁気インク文字を読み取る磁気ヘッド、および、小切手類の表面および裏面の画像を読み取るスキャナのうちの少なくとも一方とされる。また、前記搬送路に沿って搬送される情報読取後の小切手類に印刷を行う印刷機構が配置されることもある。
【発明の効果】
【００１６】
本発明の媒体処理装置の媒体収納部構造では、引き出し式のポケットをポケット支持部材に対して相対的に第１の長さ分だけ引き出し可能とし、ポケット支持部材も媒体収納部に対して第２の長さ分だけ引き出し可能としてある。したがって、ポケット自体の引き出し量を多くしなくても、ポケットを、媒体収納部に対して、双方の引き出し量の合計分、引き出すことができる。よって、ポケットを収納するための媒体収納部の内部スペースの増加を抑制できる。また、ポケットは第１の長さ分だけ引き出された状態でポケット支持部材によって支持されているので、ポケットの支持強度も十分確保できる。
【発明を実施するための最良の形態】
【００１７】
以下に、図面を参照して、本発明を適用した小切手処理装置の実施の形態を説明する。
【００１８】
（全体構成）
図１（ａ）は本実施の形態に係る小切手処理装置の平面図であり、図１（ｂ）はその小切手収納部のポケットを引き出した状態の外観斜視図である。小切手処理装置１は、装置本体側の本体ケース２と、左右の開閉カバー３、４とを備えている。本体ケース２と開閉カバー３、４の間には、小切手５を搬送するための小切手搬送路６が形成されている。小切手搬送路６は、上から見た場合に略Ｕ字状に湾曲して延びている細幅の垂直溝によって規定されている。小切手搬送路６の小切手搬送方向の上流端は、細幅の垂直溝からなる小切手送り出し通路７を介して広幅の垂直溝からなる小切手供給部８に繋がっている。小切手搬送路６の下流端は小切手収納部１０に繋がっている。小切手収納部１０は、小切手搬送路６の下流端から左右に分岐している細幅の垂直溝からなる分岐通路１１ａ、１２ａと、これらに前端部が繋がっている所定幅の垂直溝からなる第１小切手収納部１１および第２小切手収納部排出部１２を備えている。
【００１９】
小切手５は、その表面５ａの下端部分に、その長辺方向に磁気インク文字列５Ａが印刷されている。また、表面５ａには、所定の模様の背景に、金額、振出人、番号、サインなどが記載されており、裏面５ｂには裏書き欄などが設けられている。小切手５は、上下方向を揃え、表面５ａがＵ形状の小切手搬送路６の外側を向くように、小切手供給部８に挿入される。
【００２０】
小切手搬送路６には、図１（ａ）において点線で示すように、小切手５の表面画像を読み取るための表面側コンタクトイメージスキャナ２１、その裏面画像を読み取るための裏面側コンタクトイメージスキャナ２２、その磁気インク文字を読み取るための磁気ヘッド２３、その表面に「電子決済済み」などの印刷を行う印刷機構２４がこの順序に配置されている。小切手供給部８から小切手送り出し通路７を介して送り出された小切手５は、小切手搬送路６に沿って搬送されながら、その表面画像および裏面画像が読み取られ、しかる後に、その表面５ａに印刷されている磁気インク文字列５Ａが読み取られる。これらの情報が正常に読み取られた小切手５は、「電子決済済み」などの印刷が行われた後に、第１小切手収納部１１に振り分けられて、そこに収納される。読取不能、読取異常などが発生した小切手５については、そのような印刷が行われることなく、第２小切手収納部１２に振り分けられて、そこに収納されるようになっている。
【００２１】
（小切手収納部）
図２（ａ）〜（ｃ）は小切手処理装置１の小切手収納部１０を示す部分縦断面図であり、図３（ａ）および（ｂ）はその横断面図およびポケットの分解斜視図である。小切手収納部１０は、本体ケース２に形成されている所定幅および深さの垂直溝からなる第１小切手収納部１１および第２小切手収納部１２を備えており、これらの後端部分には、後方に引き出し可能なスライド式のポケット３０が取り付けられている。このポケット３０は板金製のポケット支持板４０によってスライド可能な状態で支持されており、ポケット支持板４０は小切手収納部１０にスライド可能な状態で支持されている。
【００２２】
ポケット３０は、図３（ｂ）から分かるように、底板部分３１と、この左右の端から垂直に起立している側板部分３２、３３と、底面部分３１の後端から起立している後側端板部分３４とを備えている。底板部分３１には仕切り板３５が垂直に起立している。また、底板部分３１の裏面には、その前端縁に、下方に突出した前側係合突起３６が形成されており、その後端部分にも同じく下方に突出した後側係合突起３７が形成されている。この構成のポケット３０を後方に引き出すと、第１および第２小切手収納部１１、１２の前後方向の収納長さを長くすることができる。
【００２３】
ポケット３０を支持しているポケット支持板４０は、その幅方向の中央部分に前後方向に延びるスライドガイド穴４１が形成されている。また、前後方向の中央部分におけるスライドガイド穴４１の側方には上方に切り起こした前側ストッパ４２が形成され、後側の端には同じく上方に切り起こした左右一対の後側ストッパ４３が形成されている。
【００２４】
ポケット支持板４０は、小切手収納部１０の内部において、その底板部分５１の裏面側に、当該底板部分５１と平行な状態で取り付けられている。すなわち、小切手収納部１０の底板部分５１の下側には、前後方向に一定の間隔で配置した垂直支柱５２、５３が形成されている。この垂直支柱５２、５３の上端面には前側ストッパピン５４および後側ストッパピン５５が垂直に取り付けられている。ポケット支持板４０は、ストッパピン５４、５５がスライドガイド穴４１をスライド自在の状態で貫通した状態で、これら垂直支柱５２、５３によって支持されている。また、ストッパピン５４、５５の上端には抜け止め用のワッシャが取り付けられている。
【００２５】
このように、ポケット支持板４０は、ストッパピン５４、５５に沿って前後方向にスライド可能な状態で小切手収納部１０における底板部分５１の裏面側に取り付けられている。また、ポケット３０は、その底板部分３１が、小切手収納部１０の底板部分５１とポケット支持板４０との間に前後方向にスライド可能な状態で挟まれた状態で、小切手収納部１０に取り付けられている。
【００２６】
ここで、ポケット３０の底板部分３１の裏面に形成されている前側係合突起３６は、ポケット支持板４０の前側ストッパ４２の前方に位置しており、ポケット３０を後方に引き出すと前側ストッパ４２に係合可能となっている。これに対して、ポケット３０の底板部分３１の後側係合突起３７は、ポケット支持板４０の後側ストッパ４３の後側に位置しており、ポケット３０を前方に押し込むと、後側ストッパ４３に係合可能となっている。
【００２７】
（ポケットの引き出し、収納動作）
図４および図５は、小切手収納部１０におけるポケット３０の引き出し、収納動作を示す説明図である。これらの図を主に参照して、ポケット３０の引き出し、および収納動作を説明する。まず、図２（ａ）および図４（ａ）、（ｂ）には、ポケット３０が小切手収納部１０に収納されている状態を示してある。この状態では、ポケット支持板４０のスライドガイド穴４１の後端が小切手収納部１０の側の後側ストッパピン５５に当っている。また、ポケット支持板４０の後側ストッパ４３に後側からポケット３０の後側係合突起３７が当っている。
【００２８】
ポケット３０を後方に引き出すと、最初はポケット３０のみが小切手収納部１０の後端から後方に引き出される。ポケット３０が第１の長さ分Ｌ１だけ引き出されると、図２（ｂ）および図４（ｃ）、（ｄ）に示す状態になる。この状態では、ポケット３０の前側係合突起３６がポケット支持板４０の前側ストッパ４２に当る。この後は、ポケット３０を引き出すとポケット支持板４０も一緒に後方に引き出される。
【００２９】
この後、ポケット３０とポケット支持板４０が後方に第２の長さ分Ｌ２だけ引き出されると、図２（ｃ）および図５（ａ）、（ｂ）に示す状態になり、ポケット３０の引き出し量が最大となり、これ以上、ポケット３０を引き出すことができなくなる。すなわち、ポケット支持板４０のスライドガイド穴４１の前端が小切手収納部１０の側に前側ストッパピン５４に当たり、当該ポケット支持板４０の後方へのスライドが止まる。ポケット支持板４０とポケット３０は係合状態にあるので、ポケット３０もその位置に止まる。このようにして、ポケット３０を最大で（Ｌ１＋Ｌ２）の長さ分だけ引き出すことができる。
【００３０】
ポケット３０を押し戻すと、最初はポケット３０のみが単独で押し戻される。ポケット３０を所定長さ分だけ押しも出した時点で、図５（ｃ）、（ｄ）に示すように、ポケット３０の後側係合突起３７がポケット支持板４０の後側ストッパ４３に係合する。この後は、ポケット３０と一緒にポケット支持板４０も押し戻される。ポケット３０が（Ｌ１＋Ｌ２）の長さ分だけ押し戻されると、ポケット支持板４０のスライドガイド穴４１の後端が小切手収納部１０の後側ストッパピン５５に当たり、これ以上の押し込みが阻止される。このようにして、ポケット３０およびポケット支持板４０が図２（ａ）、図４（ａ）、（ｂ）に示す収納位置に戻り、そこに位置決めされる。
【００３１】
以上説明したように、本例の小切手処理装置１では、その小切手収納部１０の第１および第２小切手収納部１１、１２における収納長さを、ポケット３０を引き出すことにより伸ばすことができる。ポケット３０は、ポケット支持板４０によって相対的に第１の長さ分Ｌ１だけ前後にスライド可能に支持されており、ポケット支持板４０は小切手収納部１０に対して第２の長さ分Ｌ２だけ前後にスライド可能に支持されている。したがって、ポケット３０を全体として長さ（Ｌ１+Ｌ２）分だけ引き出すことができる。
【００３２】
このように、ポケット３０は、ポケット支持板４０に対して長さＬ１だけ相対的に引き出された状態で、当該ポケット支持板４０によって片持ち状態で支持される。したがって、ポケット３０それ自体が、長さ（Ｌ１＋Ｌ２）分だけ引き出された片持ち状態で支持される場合に比べて、ポケット３０の支持機構の強度を高めることができる。
【００３３】
また、ポケット３０それ自体を長さ（Ｌ１＋Ｌ２）分だけ引き出す場合に比べて、ポケットの前後方向の長さを短くできる。したがって、ポケット３０を小切手収納部１０に収納するための内部スペースを多く必要としない。
【００３４】
よって、本例によれば、ポケット３０の支持強度を確保しつつ、ポケット３０の引き出し量を多くでき、しかも、ポケット収納用の内部スペースも少なくて済む。
【００３５】
（その他の実施の形態）
なお、本発明は、小切手や手形、請求書などの小切手類以外のシート状媒体を処理するための媒体処理装置の媒体収納部にも同様に適用できる。例えば、プリンタ、スキャナなどの媒体処理装置の媒体収納部に適用することができる。
【図面の簡単な説明】
【００３６】
【図１】本発明を適用した小切手処理装置の平面図および斜視図である。
【図２】小切手処理装置の小切手収納部の部分縦断面図である。
【図３】（ａ）は小切手処理装置の横断面図、（ｂ）はポケット、ポケット支持部材の分解斜視図である。
【図４】小切手収納部のポケットの引き出し動作を示す説明図である。
【図５】小切手収納部のポケットの引き出し、収納動作を示す説明図である。
【符号の説明】
【００３７】
１  小切手処理装置、２  本体ケース、３，４  開閉カバー、５  小切手、６  小切手搬送路、７  小切手送り出し通路、８  小切手供給部、１０  小切手収納部、１１  第１小切手収納部、１１ａ  分岐通路、１２  第２小切手収納部、１２ａ  分岐通路、２１  表面側コンタクトイメージスキャナ、２２  裏面側コンタクトイメージスキャナ、２３  磁気ヘッド、２４  印刷機構、３０  ポケット、３１  底板部分、３２，３３  側板部分、３４  後側端板部分、３５  仕切り板、３６  前側係合突起、３７  後側係合突起、４０  ポケット支持板、４１  スライドガイド穴、４２  前側ストッパ、４３  後側ストッパ、５１  底板部分、５２，５３  垂直支柱、５４  前側ストッパピン、５５  後側ストッパピン
【図１】
2008207953.tif 000003
【図２】
2008207953.tif 000004
【図３】
2008207953.tif 000005
【図４】
2008207953.tif 000006
【図５】
2008207953.tif 000007